【手続補正書】
【提出日】平成15年11月28日(2003.11.28)
【手続補正１】
【補正対象書類名】明細書
【補正対象項目名】特許請求の範囲
【補正方法】変更
【補正の内容】
【特許請求の範囲】
【請求項１】
表面上に記録される潜像を現像するための装置であって、
現像剤材料の供給物を中に貯蔵するチャンバを画定するハウジングを含み、
表面から離間されており、表面に隣接する現像ゾーンに現像剤材料を搬送するために用いられるドナーロールを含み、
前記ドナーロールが取り付けられるドナーロールシャフトを含み、
ドナーロール支持具を含み、前記ドナーロールシャフトが前記ドナーロール支持具に回転可能に取付けられ、
表面と前記ドナーロールとの間の空間に位置される電極ワイヤを含み、前記電極ワイヤがバイアスされて現像剤材料を前記ドナーロールから引き離して前記電極ワイヤと表面との間の空間に現像剤材料のクラウドを形成し、現像剤材料が潜像を現像し、
ワイヤの端部を取付けて電極ワイヤを引っ張るための手段を提供するワイヤモジュールを含み、
電極ワイヤをワイヤ長さに沿って支持するための手段を含み、前記支持手段が前記ドナーロールに対して回転可能に取り付けられ、かつ、ドナーロールシャフトに沿って、ドナーロールの各端部とドナーロール支持具との間に配置され、電極ワイヤが表面と前記ドナーロールとの間の空間に位置されると垂直方向にワイヤを支持するワイヤ支持面を有し、前記支持手段が開放部により離隔される二つの支持脚部を有し、前記開放部は前記支持手段が前記ドナーロールシャフト周りに嵌ることを許容し、前記支持手段の前記二つの支持脚部が前記ハウジングに取り付けられる、
現像装置。
【請求項２】
表面上に記録される潜像を現像するための装置であって、
現像剤材料の供給物を中に貯蔵するチャンバを画定しているハウジングを含み、
表面から離間されており表面に隣接する現像ゾーンに現像剤材料を搬送するために用いられるドナーロールを含み、前記ドナーロールがドナーロールシャフトに回転可能に取り付けられ、
表面と前記ドナーロールとの間の空間に位置される電極ワイヤを含み、前記電極ワイヤがバイアスされて現像剤材料を前記ドナーロールから引き離し、前記電極ワイヤと表面との間の空間に現像剤材料のクラウドを形成し、現像剤材料が潜像を現像し、
電極ワイヤ端部が取付けられるフレームを有するワイヤモジュールを含み、
ドナーロールシャフトに沿って位置されるワイヤモジュールマウントを含み、前記ワイヤモジュールがワイヤモジュールマウントに取付けらて、ワイヤモジュールにより、ワイヤにワイヤモジュールマウントを取り付ける前にワイヤを引っ張ることが可能になり、
ドナーロールの各端部と、電極ワイヤのエッジ角度をドナーロール面に設定するドナーロール支持具との間に、ドナーロールシャフトに沿って、位置される電極ワイヤ支持具を含み、
前記電極ワイヤをクランプする手段を含み、該クランプ手段が、前記電極ワイヤを表面と前記ドナーロールとの間の空間における前記ドナーロール面に向けて押されるように前記電極ワイヤに力を及ぼす、
現像装置。
【請求項３】
表面上に記録される潜像を現像するための装置であって、
現像剤材料の供給物を中に貯蔵するチャンバを画定するハウジングを含み、
表面から離間されており、表面に隣接する現像ゾーンに現像剤材料を搬送するために用いられるドナーロールを含み、
前記ドナーロールが取り付けられるドナーロールシャフトを含み、
ドナーロール支持具を含み、前記ドナーロールシャフトが前記ドナーロール支持具に回転可能に取付けられ、
表面と前記ドナーロールとの間の空間に位置される電極ワイヤを含み、前記電極ワイヤがバイアスされて現像剤材料を前記ドナーロールから引き離して前記電極ワイヤと表面との間の空間に現像剤材料のクラウドを形成し、現像剤材料が潜像を現像し、
ワイヤの端部を取付けて電極ワイヤを引っ張るための手段を提供するワイヤモジュールを含み、
前記支持手段に取り付けられるワイヤモジュールマウントを含み、前記ワイヤモジュールが前記ワイヤモジュールマウントに配置され、かつ、前記支持手段に対して角度的に調整可能であり、
電極ワイヤをワイヤ長さに沿って支持するための手段を含み、前記支持手段が前記ドナーロールに対して回転可能に取り付けられ、かつ、ドナーロールシャフトに沿って、ドナーロールの各端部とドナーロール支持具との間に配置され、電極ワイヤが表面と前記ドナーロールとの間の空間に位置されると垂直方向にワイヤを支持するワイヤ支持面を有する、
現像装置。
【請求項４】
表面上に記録される潜像を現像するための装置であって、
現像剤材料の供給物を中に貯蔵するチャンバを画定するハウジングを含み、
表面から離間されており、表面に隣接する現像ゾーンに現像剤材料を搬送するために用いられるドナーロールを含み、
前記ドナーロールが取り付けられるドナーロールシャフトを含み、
ドナーロール支持具を含み、前記ドナーロールシャフトが前記ドナーロール支持具に回転可能に取付けられ、
表面と前記ドナーロールとの間の空間に位置される電極ワイヤを含み、前記電極ワイヤがバイアスされて現像剤材料を前記ドナーロールから引き離して前記電極ワイヤと表面との間の空間に現像剤材料のクラウドを形成し、現像剤材料が潜像を現像し、
ワイヤの端部を取付けて電極ワイヤを引っ張るための手段を提供するワイヤモジュールを含み、
電極ワイヤをワイヤ長さに沿って支持するための手段を含み、前記支持手段が前記ドナーロールに対して回転可能に取り付けられ、かつ、ドナーロールシャフトに沿って、ドナーロールの各端部とドナーロール支持具との間に配置され、電極ワイヤが表面と前記ドナーロールとの間の空間に位置されると垂直方向にワイヤを支持するワイヤ支持面を有し、前記ワイヤ支持面が前記ドナーロールシャフトから第１の間隔に設置され、前記ドナーロール面が前記ドナーロールシャフトから第２の間隔に設置され、前記第１の間隔が前記第２の間隔より大きく、
前記電極ワイヤをクランプする手段を含み、該クランプ手段が、前記電極ワイヤを前記ドナーロール面に向けて押すように前記電極ワイヤに力を及ぼす、
現像装置。
【手続補正２】
【補正対象書類名】明細書
【補正対象項目名】０００４
【補正方法】変更
【補正の内容】
【０００４】
請求項１に記載の本発明は、表面上に記録される潜像を現像するための装置であって、現像剤材料の供給物を中に貯蔵するチャンバを画定するハウジングを含み、表面から離間されており、表面に隣接する現像ゾーンに現像剤材料を搬送するために用いられるドナーロールを含み、前記ドナーロールが取り付けられるドナーロールシャフトを含み、ドナーロール支持具を含み、前記ドナーロールシャフトが前記ドナーロール支持具に回転可能に取付けられ、表面と前記ドナーロールとの間の空間に位置される電極ワイヤを含み、前記電極ワイヤがバイアスされて現像剤材料を前記ドナーロールから引き離して前記電極ワイヤと表面との間の空間に現像剤材料のクラウドを形成し、現像剤材料が潜像を現像し、ワイヤの端部を取付けて電極ワイヤを引っ張るための手段を提供するワイヤモジュールを含み、電極ワイヤをワイヤ長さに沿って支持するための手段を含み、前記支持手段が前記ドナーロールに対して回転可能に取り付けられ、かつ、ドナーロールシャフトに沿って、ドナーロールの各端部とドナーロール支持具との間に配置され、電極ワイヤが表面と前記ドナーロールとの間の空間に位置されると垂直方向にワイヤを支持するワイヤ支持面を有し、前記支持手段が開放部により離隔される二つの支持脚部を有し、前記開放部は前記支持手段が前記ドナーロールシャフト周りに嵌ることを許容し、前記支持手段の前記二つの支持脚部が前記ハウジングに取り付けられる。
【手続補正３】
【補正対象書類名】明細書
【補正対象項目名】０００５
【補正方法】変更
【補正の内容】
【０００５】
請求項２に記載の本発明は、表面上に記録される潜像を現像するための装置であって、現像剤材料の供給物を中に貯蔵するチャンバを画定しているハウジングを含み、表面から離間されており表面に隣接する現像ゾーンに現像剤材料を搬送するために用いられるドナーロールを含み、前記ドナーロールがドナーロールシャフトに回転可能に取り付けられ、表面と前記ドナーロールとの間の空間に位置される電極ワイヤを含み、前記電極ワイヤがバイアスされて現像剤材料を前記ドナーロールから引き離し、前記電極ワイヤと表面との間の空間に現像剤材料のクラウドを形成し、現像剤材料が潜像を現像し、電極ワイヤ端部が取付けられるフレームを有するワイヤモジュールを含み、ドナーロールシャフトに沿って位置されるワイヤモジュールマウントを含み、前記ワイヤモジュールがワイヤモジュールマウントに取付けらて、ワイヤモジュールにより、ワイヤにワイヤモジュールマウントを取り付ける前にワイヤを引っ張ることが可能になり、ドナーロールの各端部と、電極ワイヤのエッジ角度をドナーロール面に設定するドナーロール支持具との間に、ドナーロールシャフトに沿って、位置される電極ワイヤ支持具を含み、前記電極ワイヤをクランプする手段を含み、該クランプ手段が、前記電極ワイヤを表面と前記ドナーロールとの間の空間における前記ドナーロール面に向けて押されるように前記電極ワイヤに力を及ぼす。
請求項３に記載の本発明は、表面上に記録される潜像を現像するための装置であって、現像剤材料の供給物を中に貯蔵するチャンバを画定するハウジングを含み、表面から離間されており、表面に隣接する現像ゾーンに現像剤材料を搬送するために用いられるドナーロールを含み、前記ドナーロールが取り付けられるドナーロールシャフトを含み、ドナーロール支持具を含み、前記ドナーロールシャフトが前記ドナーロール支持具に回転可能に取付けられ、表面と前記ドナーロールとの間の空間に位置される電極ワイヤを含み、前記電極ワイヤがバイアスされて現像剤材料を前記ドナーロールから引き離して前記電極ワイヤと表面との間の空間に現像剤材料のクラウドを形成し、現像剤材料が潜像を現像し、ワイヤの端部を取付けて電極ワイヤを引っ張るための手段を提供するワイヤモジュールを含み、前記支持手段に取り付けられるワイヤモジュールマウントを含み、前記ワイヤモジュールが前記ワイヤモジュールマウントに配置され、かつ、前記支持手段に対して角度的に調整可能であり、電極ワイヤをワイヤ長さに沿って支持するための手段を含み、前記支持手段が前記ドナーロールに対して回転可能に取り付けられ、かつ、ドナーロールシャフトに沿って、ドナーロールの各端部とドナーロール支持具との間に配置され、電極ワイヤが表面と前記ドナーロールとの間の空間に位置されると垂直方向にワイヤを支持するワイヤ支持面を有する。
請求項４に記載の本発明は、表面上に記録される潜像を現像するための装置であって、現像剤材料の供給物を中に貯蔵するチャンバを画定するハウジングを含み、表面から離間されており、表面に隣接する現像ゾーンに現像剤材料を搬送するために用いられるドナーロールを含み、前記ドナーロールが取り付けられるドナーロールシャフトを含み、ドナーロール支持具を含み、前記ドナーロールシャフトが前記ドナーロール支持具に回転可能に取付けられ、表面と前記ドナーロールとの間の空間に位置される電極ワイヤを含み、前記電極ワイヤがバイアスされて現像剤材料を前記ドナーロールから引き離して前記電極ワイヤと表面との間の空間に現像剤材料のクラウドを形成し、現像剤材料が潜像を現像し、ワイヤの端部を取付けて電極ワイヤを引っ張るための手段を提供するワイヤモジュールを含み、電極ワイヤをワイヤ長さに沿って支持するための手段を含み、前記支持手段が前記ドナーロールに対して回転可能に取り付けられ、かつ、ドナーロールシャフトに沿って、ドナーロールの各端部とドナーロール支持具との間に配置され、電極ワイヤが表面と前記ドナーロールとの間の空間に位置されると垂直方向にワイヤを支持するワイヤ支持面を有し、前記ワイヤ支持面が前記ドナーロールシャフトから第１の間隔に設置され、前記ドナーロール面が前記ドナーロールシャフトから第２の間隔に設置され、前記第１の間隔が前記第２の間隔より大きく、前記電極ワイヤをクランプする手段を含み、該クランプ手段が、前記電極ワイヤを前記ドナーロール面に向けて押すように前記電極ワイヤに力を及ぼす。